(57)【特許請求の範囲】
【請求項１】
固定スクロールの一部をなす鏡板の一面に直立して形成された渦巻き状の固定スクロールラップに対して、旋回スクロールの一部をなすラップが支持円板上に直立するとともに、前記固定スクロールラップに類似した形状の旋回スクロールラップを互いに噛み合わせて、両スクロール間に三日月形の一対の圧縮空間を形成し、クランク軸と自転防止部材によって前記旋回スクロールを旋回させ、前記各圧縮空間が吸入側より吐出側に向けて連続移行する複数個の圧縮室に区画されて流体を圧縮すべく容積変化するスクロール圧縮機であって、前記旋回スクロールラップ外壁と前記固定スクロールラップ内壁との接点または前記旋回スクロールラップ内壁と前記固定スクロールラップ外壁との接点のうち少なくともいずれか一方において、流体の圧縮に寄与する接点の数が一つになるクランク角が存在するとともに、流体の圧縮に寄与しない接点も含めた全接点が全てのクランク角で複数個存在することを特徴とするスクロール圧縮機。
【請求項２】
吸込み完了時の圧縮室内容積である行程容積が、旋回スクロールラップ外壁と固定スクロールラップ内壁とで形成される第１の圧縮室の方が、前記旋回スクロールラップ内壁と前記固定スクロールラップ外壁とで形成される第２の圧縮室よりも大きい非対称スクロールである請求項１に記載のスクロール圧縮機。
【請求項３】
旋回スクロールの材質と固定スクロールの材質とが異なる請求項１または２に記載のスクロール圧縮機。
【請求項４】
旋回スクロールまたは固定スクロールの流体の圧縮に寄与しない接点を持つラップの高さが、流体の圧縮に寄与するラップの高さよりも小さい請求項１〜３のいずれか１項に記載のスクロール圧縮機。
【請求項５】
旋回スクロールまたは固定スクロールの流体の圧縮に寄与しない接点を持つラップ部を外周巻終りに設けた請求項１〜４のいずれか１項に記載のスクロール圧縮機。
【請求項６】
旋回スクロールまたは固定スクロールの流体の圧縮に寄与しない接点を持つラップの外壁および内壁の両方またはいずれか一方に径方向に連続的に変化する微小な逃しを設けた請求項５に記載のスクロール圧縮機。
【請求項７】
作動流体として二酸化炭素を用いた請求項１〜６のいずれか１項に記載のスクロール圧縮機。
【発明の詳細な説明】
【技術分野】
【０００１】
本発明は、空調機、冷凍機、ブロワ、給湯機等に使用されるスクロール圧縮機に関するものである。
【背景技術】
【０００２】
鏡板上に渦巻きラップを形成した固定スクロールと旋回スクロールをかみ合わせ複数の圧縮室を形成し、旋回スクロールに偏心部を有するクランク軸を連結させ、オルダムリングを用いて自転を防止し旋回運動をさせることで、中心に向かって容積を減少させながら圧縮を行っていくスクロール圧縮機において、旋回スクロールラップ外壁と固定スクロールラップ内壁、および旋回スクロールラップ内壁と固定スクロールラップ外壁は全てのクランク角において常に接点を持つ。この接点での圧縮室間の流体漏れを防止して圧縮効率を向上させるために、ラップの壁面同士を接触させて隙間を可能な限り小さくする方法が一般的にとられる。
【０００３】
しかしながら、ラップ壁面同士の接触によって異常摩耗や焼き付きが発生しやすくなるため、何らかの対策を施す必要が生じることがほとんどである。
【０００４】
その一つの対策として、ラップ壁面を接触させることをやめてオイルによってシール性を保つ方法があるが、圧縮室内のシールオイルを増やす必要があるためオイル粘性損失の増加による機械効率低下や高温オイルが冷媒を加熱、膨張させることによる体積効率と圧縮効率低下を招きやすく、様々な運転条件下での最適オイル量コントロールも容易ではなく、高効率化には不向きである。
【０００５】
一方、ラップ壁面同士を接触させる構成ではシールオイルの供給を極小化できるため、容易に高効率化が可能であることから、ラップ壁面を常に接触させながら、その摺動状態を改善させるための様々な対策がとられてきた。
【０００６】
その最も一般的な対策は、例えば旋回スクロールをアルミ材、固定スクロールを鋳鉄材とする等、双方を異なる材質とするものである。
【０００７】
しかし、圧縮機を軽量、小型化する場合等、旋回スクロールと固定スクロールの双方ともにアルミ材とせざるを得ないときは別の対策を施す必要がある。
【０００８】
この問題を解決するために、図７に示す特許文献１のスクロール圧縮機では、アルミ製の旋回スクロール１０１と固定スクロール１０２のうちいずれか一方に硬質アルマイト処理を施し、ラップ壁面での異常摺動を抑制している。
【特許文献１】特許第１５２２８８７号公報
【発明の開示】
【発明が解決しようとする課題】
【０００９】
圧縮機を軽量、小型化する場合等には、旋回スクロールと固定スクロールの双方ともにアルミ材としながら、いずれか一方に硬質アルマイト処理を施せばラップ壁面での異常摺動を抑制することが可能であるが、特に軽量、小型化の必要がない場合には、双方を異なる材質とすることでラップ壁面同士の異常摺動をある程度は抑制することができる。
【００１０】
しかしながら、昨今のインバータ化による高速化や二酸化炭素冷媒の採用による高負荷化によって圧縮機の運転範囲は拡大傾向にあり、ラップ壁面の摺動状態はどんどん厳しく
なっている状況の中、旋回スクロールと固定スクロールを異材質とするだけでは不十分である。
【００１１】
その理由の一つとして旋回スクロールと固定スクロールの熱膨張率の差が挙げられる。旋回スクロールと固定スクロールの渦巻きラップの形状は加工ごとのばらつきを含めた幾何公差があるため、相対的な中心位置と角度が最適になるように現物合せで圧縮機構部を組み立てることでラップ壁面の隙間を適正に保って効率の低下を防ぐことができる。
【００１２】
この最適芯出し作業は通常、冷時に行われるため、圧縮運転中の熱時には旋回スクロールと固定スクロールのうち、熱膨張率の大きい材質の方が大きく膨張し、旋回スクロールラップの外壁と内壁のいずれか一方のみが接触摺動するようになる。
【００１３】
したがって、旋回スクロールラップを固定スクロールラップに押し付ける径方向の力（以降、押接力と呼ぶ）が冷時には旋回スクロールラップ外壁と内壁とで分散され、一つの接点あたりの押接力が小さかったものが、熱時には旋回スクロールラップ外壁と内壁のいずれか一方でのみ接触するようになり、一つの接点あたりの押接力が大きくなる。その結果、ラップ壁面の負荷が上昇して異常摺動を招いてしまう。
【００１４】
特に、昨今の圧縮機の運転範囲拡大に伴い、この異常摺動現象が発生しやすいのが現状である。その上、構成上の問題から渦巻きラップの巻数が限られる場合、旋回スクロールラップ外壁または内壁の接点が一つになるクランク角が存在することもあり、このクランク角では一つの接点で旋回スクロールに加わる押接力を全て受けることになって容易に異常摩耗や焼き付き等が発生してしまう。
【００１５】
また、旋回スクロールと固定スクロールが同材質の場合でも、圧縮機構部の最適芯出し作業時の組立誤差によって旋回スクロールと固定スクロールの相対角度が最適角度からずれることは稀ではなく、この場合も旋回スクロールラップ外壁と内壁のいずれか一方のみが接触して異常摺動を招くことはある。そこで、ラップ壁面の摺動状態を改善するために、ラップ壁面の表面を改善するだけでなく、ラップ壁面に加わる負荷を更に低減する必要がある。
【００１６】
一方、ラップ壁面に加わる押接力を分散させるために単純に圧縮に寄与する渦巻きラップの巻数を増やして同一クランク角における接点数を増やす方法では、圧縮機構部が大型化してしまうという大きなデメリットがあり、大型化しないように設計したとしてもラップ厚みが小さくなってラップ強度が低下するという問題や、吸込み完了時の圧縮室内容積である行程容積と吐出部での吐出室に連通する直前の圧縮室吐出直前容積との比、すなわち設計容積比を適正に設定できないことによる圧縮効率が低下するという問題等も生じ、得策ではない。
【００１７】
本発明は、前記従来の課題を解決するもので、旋回スクロールラップ外壁と固定スクロールラップ内壁との接点または旋回スクロールラップ内壁と固定スクロールラップ外壁との接点のうち少なくともいずれか一方において、流体の圧縮に寄与する接点の数が一つになるクランク角が存在するとともに、流体の圧縮に寄与しない接点も含めた全接点が全てのクランク角で複数個存在することにより、大きな設計変更やラップ強度の低下、圧縮効率の低下等を招くことなくラップ壁面の摺動状態の悪化を防止することのできる高効率かつ高信頼性のスクロール圧縮機を提供することを目的とする。
【課題を解決するための手段】
【００１８】
前記従来の課題を解決するために、本発明のスクロール圧縮機は、旋回スクロールラップ外壁と固定スクロールラップ内壁との接点または旋回スクロールラップ内壁と固定スク
ロールラップ外壁との接点のうち少なくともいずれか一方において、流体の圧縮に寄与する接点の数が一つになるクランク角が存在するとともに、流体の圧縮に寄与しない接点も含めた全接点が全てのクランク角で複数個存在するものである。
【００１９】
従来の構成ではラップ壁面の接点が一つになってラップ壁面の信頼性が損なわれ、それを改善するために大きな設計変更やラップ強度の低下、圧縮効率の低下等を招いていたものが、本構成によれば、流体の圧縮に寄与しない接点を設けることで、大きな設計変更や設計容積比の変更等を行うことなくラップ壁面の摺動状態悪化を防止することができ、高信頼性と高効率とを両立することが可能である。
【発明の効果】
【００２０】
本発明のスクロール圧縮機は、旋回スクロールラップ外壁と固定スクロールラップ内壁との接点または旋回スクロールラップ内壁と固定スクロールラップ外壁との接点のうち少なくともいずれか一方において、流体の圧縮に寄与する接点の数が一つになるクランク角が存在するとともに、流体の圧縮に寄与しない接点も含めた全接点が全てのクランク角で複数個存在することにより、高信頼性と高効率を両立することが可能である。
【発明を実施するための最良の形態】
【００２１】
第１の発明は、固定スクロールの一部をなす鏡板の一面に直立して形成された渦巻き状の固定スクロールラップに対して、旋回スクロールの一部をなすラップが支持円板上に直立するとともに、固定スクロールラップに類似した形状の旋回スクロールラップを互いに噛み合わせて、両スクロール間に三日月形の一対の圧縮空間を形成し、クランク軸と自転防止部材によって旋回スクロールを旋回させ、各圧縮空間が吸入側より吐出側に向けて連続移行する複数個の圧縮室に区画されて流体を圧縮すべく容積変化するスクロール圧縮機であって、旋回スクロールラップ外壁と固定スクロールラップ内壁との接点または旋回スクロールラップ内壁と固定スクロールラップ外壁との接点のうち少なくともいずれか一方において、流体の圧縮に寄与する接点の数が一つになるクランク角が存在するとともに、流体の圧縮に寄与しない接点も含めた全接点が全てのクランク角で複数個存在することにより、接点の数を十分確保するために圧縮に寄与する渦巻きラップの巻数を増やす必要がなく、大きな設計変更やラップ強度の低下、圧縮効率の低下等を招くことなくラップ壁面の摺動状態の悪化を防止することができ、高信頼性と高効率を両立することが可能である。
【００２２】
第２の発明は、特に、第１の発明のスクロール圧縮機において、吸込み完了時の圧縮室内容積である行程容積が、旋回スクロールラップ外壁と固定スクロールラップ内壁とで形成される第１の圧縮室の方が、前記旋回スクロールラップ内壁と前記固定スクロールラップ外壁とで形成される第２の圧縮室よりも大きい非対称スクロールとすることにより、吸込み完了時のクランク角における旋回スクロールラップ外壁と固定スクロールラップ内壁との接点のうち最も外側の接点が固定スクロール外周部付近に設けられた吸入口に近づき、吸入口から圧縮が開始されるまでの流体通路の距離、すなわち吸入室の長さが対称スクロールよりも短くなることで、流体が高温の固定スクロールから受熱する吸入加熱現象による体積効率の低下を抑制することができ、圧縮機の高効率化が可能である。
【００２３】
しかしながら、非対称スクロールでは旋回スクロールラップ外壁と固定スクロールラップ内壁とで形成される第１の圧縮室の設計容積比が旋回スクロールラップ内壁と固定スクロールラップ外壁とで形成される第２の圧縮室の設計容積比よりも大きくなるため、対称スクロールの場合よりも渦巻きラップの巻数を減少させて適正な設計容積比を設定する必要がある。
【００２４】
このとき、旋回スクロールラップ内壁の接点の数が一つになるクランク角範囲が拡大し
、一つの接点あたりの押接力が増加して信頼性を損ねやすいが、本構成によって非対称スクロールでも圧縮に寄与しない接点を設けて、全クランク角で複数の接点を持つようにすることができ、体積効率向上による更なる高効率化を行いながらラップ壁面の信頼性を確保することが可能である。
【００２５】
第３の発明は、特に、第１または２の発明のスクロール圧縮機において、旋回スクロールの材質と固定スクロールの材質とが異なることにより、旋回スクロールと固定スクロールのラップ壁面の摺動状態が悪化しても容易に焼き付きが発生することがなく、高信頼性を維持しやすい。
【００２６】
しかしながら、異材質の場合、熱膨張率も異なることが多く、運転中の熱時に旋回スクロールと固定スクロールのいずれかが他方よりも大きく熱膨張して旋回スクロールラップ外壁または内壁のいずれかのみが接点を持って摺動し、一つの接点あたりの押接力が増加して信頼性を損ねやすいが、本構成によって全クランク角で複数の接点を持つようにすれば、ラップ壁面の信頼性をより一層高く維持することが可能である。
【００２７】
第４の発明は、特に、第１〜３のいずれか１つの発明のスクロール圧縮機において、旋回スクロールまたは固定スクロールの流体の圧縮に寄与しない接点を持つラップの高さを、流体の圧縮に寄与するラップの高さよりも小さくすることにより、圧縮に寄与しない接点をもつラップ部の加工性が非常に容易になり、加工時間増加によるコストアップを抑制することが可能である。
【００２８】
さらに、素材成型時に圧縮に寄与しない接点を持つラップの高さを圧縮に寄与するラップの高さよりも低く設定しておくことで、圧縮に寄与しない接点を持つラップ部の上面を加工する必要がないため、より一層加工性が容易になる。
【００２９】
第５の発明は、特に、第１〜４のいずれか１つの発明のスクロール圧縮機において、旋回スクロールまたは固定スクロールの流体の圧縮に寄与しない接点を持つラップ部を外周巻終りに設けることにより、効率の悪化を招くことなく高信頼性を確保することが可能である。
【００３０】
すなわち、圧縮に寄与しない接点を持つラップ部を中心巻始め部に設けた場合、吐出室容積が増加することになり、設計容積比よりも運転条件から決定される運転容積比の方が大きい不足圧縮の時、吐出室と圧縮室が連通する瞬間に逆流、再膨張するため、圧縮効率の低下を招きやすいものが、圧縮に寄与しない接点を持つラップ部を外周巻終りに設けた場合には圧縮効率の低下が生じることはない。
【００３１】
第６の発明は、特に、第５の発明のスクロール圧縮機において、旋回スクロールまたは固定スクロールの流体の圧縮に寄与しない接点を持つラップの外壁および内壁の両方またはいずれか一方に径方向に連続的に変化する微小な逃しを設けることにより、流体を閉じ込む瞬間またはその直前の新たな接点が発生するとき、瞬間的に強い押接力を以って接触し始めることによる強い衝撃を受けることがないため、衝撃による異常摩耗を回避することが可能であると同時に、衝撃による騒音の悪化を招くこともない。
【００３２】
第７の発明は、特に、第１〜６のいずれか１つの発明のスクロール圧縮機において、作動流体として二酸化炭素を用いることにより、オゾン層破壊係数がゼロの自然冷媒である二酸化炭素でヒートポンプサイクルを構成した場合、高圧冷媒であるために特に圧縮比が高くなりやすく、ラップ壁面に加わる押接力が非常に大きくなるが、その場合でも一つの接点あたりの押接力を小さく維持することができるため、信頼性の確保に対してより一層効果的である。
【００３３】
以下、本発明の実施の形態について、図面を参照しながら説明する。なお、この実施の形態によって本発明が限定されるものではない。
【００３４】
（実施の形態１）
図１は、本発明の実施の形態１におけるスクロール圧縮機の縦断面図である。
【００３５】
図１において、鉄製の密閉容器１の内部全体は吐出管２に連通する高圧雰囲気となり、その中央部に電動機３、上部に圧縮機構が配置され、電動機３の回転子３ａに固定されたクランク軸４の一端を支承する圧縮機構の本体フレーム５が密閉容器１に固定されており、その本体フレーム５に固定スクロール６が取り付けられている。
【００３６】
クランク軸４に設けられた主軸方向の油通路７は、その一端が給油ポンプ装置８に通じ、他端が最終的に旋回スクロール９の偏心軸受１０に通じている。固定スクロール６と噛み合って圧縮室１１を形成する旋回スクロール９は、渦巻き状の旋回スクロールラップ９ａと偏心軸受１０とを直立させたラップ支持円板９ｂとからなり、固定スクロール６と本体フレーム５との間に配置されている。
【００３７】
固定スクロール６は、鏡板６ａと渦巻き状の固定スクロールラップ６ｂとからなり、固定スクロールラップ６ｂの中央部に吐出口１２と吐出口１２に通じる吐出室１３、外周部に吸入口１４および圧縮が開始されるまでの流体通路である吸入室１５が配置されている。
【００３８】
クランク軸４の主軸から偏心してクランク軸４の上端部に配置された偏心軸１６は、旋回スクロール９の偏心軸受１０と係合摺動すべく構成されている。旋回スクロールラップ支持円板９ｂの背面９ｃと、旋回スクロール９の軸方向への移動を規制する本体フレーム５に設けられたスラスト拘束面５ａとの間は、微小な隙間が設けられている。本体フレーム５のスラスト拘束面５ａには環状シール部材１７が遊合状態で装着されており、その環状シール部材１７はその内側の背面室１８と外側の背圧室１９とを仕切っている。
【００３９】
給油ポンプ装置８によって吸い上げられたオイルはクランク軸４の油通路７を通り旋回スクロール９の偏心軸受１０と偏心軸１６との間に形成された軸方向の内部空間２０へ導かれ、一方は旋回スクロール９のラップ支持円板背面９ｃに設けられた絞り部２１を経由して固定スクロール６と本体フレーム５とによって囲まれて形成される背圧室１９へと通じ、旋回スクロール９を固定スクロールラップ６ｂに押さえつける機能を持った背圧調整弁２２、オイル供給通路２２ａを通って吸入室１５へと導かれる。もう一方は偏心軸受１０、背面室１８、主軸受２３を通り圧縮機構外部へ排出される。
【００４０】
吐出口１２の出口側を開閉する逆止弁装置２４が固定スクロール６の鏡板６ａの平面上に取り付けられており、その逆止弁装置２４は薄鋼板製のリード弁２４ａと弁押さえ２４ｂとからなる。
【００４１】
クランク軸４の下端は密閉容器１内に溶接や焼き嵌めして固定された副軸受け２５により軸受けされ、安定に回転することができる。副軸受け２５はジャーナル軸受け構成となっており、給油ポンプ装置８によって吸い上げられたオイルの一部が副軸受け２５へと供給される。
【００４２】
圧縮機構にて圧縮されたガスは圧縮機構外周部付近に設けられた下向きガス流路２６を通り、図示された点線矢印のごとく回転子３ａ上部へと導かれる。ここで主軸受け２３などを潤滑後排出されたオイルと合流し、回転子３ａ内部に設けられた回転子通路３ｂを介
して回転子３ａ下部へと到達後、ガスとオイルの混合流が遠心力によって固定子３ｃ下部コイルエンドに衝突し、気液分離される。気液分離後のガスは固定子３ｃ外周に設けられた固定子通路３ｄを介して電動機３上部へと導かれ、圧縮機構に設けられた図示されていない上向きガス流路を通って圧縮機構上側空間へ到達後、吐出管２から密閉容器１外部へと吐出される。
【００４３】
旋回スクロール９はアルミニウム合金製で、表面には陽極酸化皮膜が形成されている。固定スクロール６は鋳鉄製で、インボリュート曲線で構成された固定スクロールラップ６ｂの内壁６ｃが吸入口１４付近まで延長された非対称スクロールであり、吸入口１４と圧縮室１１との間に設けられた吸入圧力流体の流路である吸入室１５の長さを極小化することで吸入加熱の低減が図られている。
【００４４】
図２は図１における旋回スクロール９の斜視図で、旋回スクロールラップ９ａの外壁９ｄと内壁９ｅは外周巻終り部９ｆまでインボリュート曲線のままであるとともに、外周巻終り部９ｆの上面９ｇは他のラップ部の上面９ｈよりも低く設定されて流体の圧縮には寄与していない。
【００４５】
以上のように構成されたスクロール圧縮機について、以下その動作、作用を説明する。
【００４６】
スクロール圧縮機は類似した二つの渦巻きラップを互いに噛み合わせて相対的に旋回運動を行い、ラップで形成された三日月形の圧縮室の容積が徐々に縮小することによって圧縮を行うものである。
【００４７】
図３は固定スクロール６と旋回スクロール９とが組み合わされて旋回運動を行う圧縮過程を示したもので、図３（ａ）は旋回スクロール９のラップ外壁９ｄ側で流体を閉じ込んだ瞬間のクランク角を示し、以後、９０度のクランク角毎に（ｂ）、（ｃ）、（ｄ）を示している。
【００４８】
図３（ｂ）に示すとおり、旋回スクロールラップ外壁９ｄ側の第１の圧縮室１１ａは、旋回スクロールラップ外壁９ｄと固定スクロールラップ内壁６ｃ、固定スクロールラップ底面６ｄ、図２に示す旋回スクロールラップ底面９ｉの四つの面によって形成され、圧力の異なる周囲の圧縮室との間をオイルによってシールされている。
【００４９】
圧縮機運転中、旋回スクロール９は固定スクロール６に圧力差によって軸方向に強く押し付けられ、固定スクロールラップ上面６ｅと旋回スクロールラップ底面９ｉとの間にはほとんど隙間が生じないが、旋回スクロールラップ上面９ｈと固定スクロールラップ底面６ｄとの間には熱時にも摺動しないように微小な軸方向隙間が設けられている。
【００５０】
一方、旋回スクロール９に加わる圧力、遠心力および偏芯軸受け１０の油膜力のバランスにより、旋回スクロール９はクランク軸４の偏芯方向に力が発生し、この押接力によって径方向にも固定スクロール６に強く押し付けられているため、第１の圧縮室１１ａの両端部での旋回スクロール外壁接点２７ａ、２７ｂでの径方向隙間はほとんど生じない。
【００５１】
また、旋回スクロールラップ内壁９ｅと固定スクロールラップ外壁６ｆとで形成される第２の圧縮室１１ｂ、および他のクランク角での圧縮室１１でも同様に径方向隙間はほとんど生じない。
【００５２】
したがって、旋回スクロール９を固定スクロール６に対して径方向に押し付けずに常に隙間を確保している構成のスクロール圧縮機と比較して、圧縮室１１間の径方向隙間での流体漏れが最小限となるため、圧縮効率を高く維持することができる。
【００５３】
しかしながら、旋回スクロールラップの壁面９ｄ、９ｅと固定スクロールラップの壁面６ｃ、６ｆ同士が押接力によって強く摺動するため、異常摺動に対する対策が必要である。
【００５４】
図３（ｂ）において、旋回スクロールラップ壁面９ｄ、９ｅと固定スクロールラップ壁面６ｃ、６ｆとの接点は、旋回スクロールラップ外壁９ｄの第１接点２７ａと第２接点２７ｂ、第３接点２７ｃの三ヶ所、旋回スクロールラップ内壁９ｅの第１接点２８ａと第２接点２８ｂの二ヶ所の合計五ヶ所存在し、一つの接点２７、２８あたりの押接力は旋回スクロール９全体に加わる全押接力の概ね１／５に低減される。
【００５５】
図３（ｄ）では接点２７、２８が四ヶ所存在し、一つの接点２７、２８あたりの押接力は旋回スクロール９全体に加わる全押接力の概ね１／４に低減される。
【００５６】
一方、図３（ａ）のクランク角では、圧縮室１１を形成して流体の圧縮に寄与している接点は、旋回スクロールラップ外壁９ｄの第１接点２７ａと第２接点２７ｂの二ヶ所、旋回スクロールラップ内壁９ｅの第１接点２８ａと第２接点２８ｂの二ヶ所の合計四ヶ所に加え、流体の圧縮に寄与しない旋回スクロールラップ外周巻終り部９ｆにラップ外壁９ｄの第０接点２９が存在し、一つの接点２７、２８、２９あたりの押接力は旋回スクロール９全体に加わる全押接力の概ね１／５に低減される。
【００５７】
同様に、図３（ｃ）のクランク角では、圧縮室１１を形成して流体の圧縮に寄与している接点は、旋回スクロールラップ外壁９ｄの第１接点２７ａと第２接点２７ｂの二ヶ所、旋回スクロールラップ内壁９ｅの第１接点２８ａの一ヶ所の合計三ヶ所に加え、流体の圧縮に寄与しない旋回スクロールラップ外周巻終り部９ｆにラップ内壁９ｅの第０接点２９が存在し、一つの接点２７、２８、２９あたりの押接力は旋回スクロール９全体に加わる全押接力の概ね１／４に低減される。
【００５８】
このように、正常な運転状態や組立精度の場合には旋回スクロール９全体に加わる押接力が分散されて概ね１／５から１／４となるため、異常摺動によって異常摩耗や焼き付き等を引き起こす可能性は低い。
【００５９】
しかしながら、本実施の形態では固定スクロール６よりも旋回スクロール９の方が熱伝導率が大きいため、例えば運転中の液戻りが発生すると、旋回スクロール９の温度が固定スクロール６の温度よりも低くなってインボリュート曲線が縮小し、旋回スクロールラップ内壁９ｅのみが接触するという現象が発生する。
【００６０】
また、組立ばらつきにより、図３における固定スクロール６に対する旋回スクロール９の相対角度が最適角度から反時計回りにずれた場合も同様に旋回スクロールラップ内壁９ｅのみが接触することになる。
【００６１】
その結果、流体の圧縮に寄与しない第０接点２９が存在しない従来の構成では、図３（ｃ）のクランク角では旋回スクロールラップ内壁９ｅの第１接点２８ａのみで全押接力を受けることになり、正常な運転状態や組立精度の場合の概ね４から５倍の力で押し付けられて摺動するため、異常摩耗や焼き付きが発生する可能性が非常に高くなる。
【００６２】
そこで、本構成ではさらにもう一つの第０接点２９を加え、正常な運転状態や組立精度ではない場合でも少なくとも二ヶ所で全押接力を受けることで、一つの接点あたりの押接力を正常な運転状態や組立精度の場合の概ね２から２．５倍に抑制でき、異常摺動による異常摩耗や焼き付きのリスクを低減して信頼性を向上させることが可能である。
【００６３】
なお、本実施の形態では旋回スクロールラップ内壁９ｅと固定スクロールラップ外壁６ｆとの接点での摺動に対して有効であるが、信頼性維持のために旋回スクロール９と固定スクロール６を異材質とし、軽量化を目的として体積の大きい固定スクロール６をアルミニウム合金等の軽量な材料、旋回スクロール９を鋳鉄等の安価な材料とした場合には、同様の作用によって旋回スクロールラップ外壁９ｄと固定スクロールラップ内壁６ｃの接点での摺動に対して有効である。
【００６４】
また、圧縮効率の向上等の様々な目的から、吸込み完了時の圧縮室１１内容積である行程容積と吐出部での吐出室１３に連通する直前の圧縮室吐出直前容積との比、すなわち設計容積比が、第１の圧縮室１１ａと第２の圧縮室１１ｂとで概ね等しい場合、旋回スクロールラップ外壁９ｄの一つの接点２７でのみ押接力を受ける可能性が高く、特に有効である。
【００６５】
さらに、前述のとおり組立ばらつきが生じて旋回スクロール９と固定スクロール６との相対角度が最適角度からずれた場合には、旋回スクロール９と固定スクロール６の材質が概ね同一であっても同様の効果が得られる。
【００６６】
上記構成は、圧縮機の用途や使用する流体の種類、設計の狙い等により、運転条件や組立ばらつきによって旋回スクロールラップ９ａと固定スクロールラップ６ｂとの接点２７、２８が一つになるクランク角が図らずも存在してしまうときに効果的で、設計容積比やラップ厚み、クランク軸４の偏芯量等の大きな設計変更の必要がなく、他部位の信頼性や圧縮機効率を低下させることなくラップ摺動部の信頼性を向上させることが可能である。
【００６７】
なお、図４の旋回スクロール９の斜視図に示すように、旋回スクロールラップ９ａの中心巻始め部９ｊに流体の圧縮に寄与しない接点２９を設けることでも同様の効果が得られるが、常に吐出圧力である吐出室１３の容積が大きくなってしまうため、設計容積比よりも運転条件から決定される運転容積比の方が大きい場合に不足圧縮となり、再膨張と再圧縮によって圧縮効率が低下しやすいというデメリットがある。
【００６８】
流体の圧縮に寄与しない接点２９を旋回スクロールラップ９ａの外周巻終り部９ｆと中心巻始め部９ｊの両方に設けても同様の効果が得られる。
【００６９】
また、外周巻終り部９ｆまたは中心巻始め部９ｊの上面９ｇを他のラップ部の上面９ｈよりも低く設定することで、加工性が非常に容易であるため加工時間増加によるコストアップを抑制することが可能であり、素材成型時に予め低く設定しておけば外周巻終り部９ｆまたは中心巻始め部９ｊの上面９ｇを加工する必要がないため、より一層加工性が容易になる。
【００７０】
図５は旋回スクロール９正面図であり、旋回スクロールラップ９ａの外周巻終り部９ｆの拡大図を図６に示す。
【００７１】
図６において、流体の圧縮に寄与する接点２７、２８の終了点２７ｄ、２８ｃよりもさらに外周側に流体の圧縮に寄与しない外周巻終り部９ｆの接点終了点２９ａがあり、さらに外周側に旋回スクロールラップ９ａの巻終り端点３０がある。
【００７２】
旋回スクロールラップ９ａの中心部のインボリュート開始点から外周巻終り部９ｆの接点終了点２９ａまではインボリュート曲線のままであり、外周巻終り部９ｆの接点終了点２９ａから巻終り端点３０までは旋回スクロールラップ９ａの厚みが薄くなる方向にインボリュート曲線から連続的に離れる微小な逃がし３１を設けている。
【００７３】
吸入室１５の流体を圧縮室１１に閉じ込む直前の、外周巻終り部９ｆの接点終了点２９ａが固定スクロールラップ６ｂと接触し始める時、連続的に変化する微小な逃がし３１を設けることで微小な逃がし３１に存在するオイルに動圧が発生して圧力の高い油膜が形成されるため、瞬間的に強い押接力を以って接触し始めることによる強い衝撃を受けることがなく、衝撃による異常摩耗を回避することが可能であると同時に、衝撃による騒音の悪化を招くこともない。
【００７４】
旋回スクロールラップ９ａが固定スクロールラップ６ｂに押し付けられる押接力は、高圧冷媒である二酸化炭素を作動流体として用いた場合に特に大きくなるため、以上のような流体の圧縮に寄与しない接点２９を持つ構成はより効果的であり、自然冷媒の使用によるオゾン層保護を実施しながら高効率と高信頼性を維持することが可能である。
【産業上の利用可能性】
【００７５】
以上のように、本発明にかかるスクロール圧縮機は、旋回スクロールラップ外壁と固定スクロールラップ内壁との接点または旋回スクロールラップ内壁と固定スクロールラップ外壁との接点のうち少なくともいずれか一方において、流体の圧縮に寄与する接点の数が一つになるクランク角が存在するとともに、流体の圧縮に寄与しない接点も含めた全接点が全てのクランク角で複数個存在することにより、大きな設計変更や設計容積比の変更等を行うことなくラップ壁面の摺動状態悪化を防止することができ、高信頼性と高効率とを両立することが可能であり、ＨＦＣ系冷媒やＨＣＦＣ系冷媒を用いたエアーコンディショナーやヒートポンプ式給湯機のほかに、自然冷媒の二酸化炭素を用いたエアーコンディショナーやヒートポンプ式給湯機などの用途にも適用できる。
【図面の簡単な説明】
【００７６】
【図１】本発明の実施の形態１におけるスクロール圧縮機の縦断面図
【図２】本発明の実施の形態１における旋回スクロールの斜視図
【図３】本発明の実施の形態１における圧縮過程図
【図４】本発明の実施の形態１における別の旋回スクロールの斜視図
【図５】本発明の実施の形態１における旋回スクロールの正面図
【図６】本発明の実施の形態１における旋回スクロールラップの外周巻終り部の拡大図
【図７】従来のスクロール圧縮機の圧縮機構部を示す断面図
【符号の説明】
【００７７】
３  電動機
４  クランク軸
６  固定スクロール
６ａ  鏡板
６ｂ  固定スクロールラップ
６ｃ  固定スクロールラップ内壁
６ｆ  固定スクロールラップ外壁
９  旋回スクロール
９ａ  旋回スクロールラップ
９ｂ  ラップ支持円板
９ｄ  旋回スクロールラップ外壁
９ｅ  旋回スクロールラップ内壁
９ｆ  旋回スクロールラップ外周巻終り部
１１  圧縮室
１１ａ  第１圧縮室
１１ｂ  第２圧縮室
１２  吐出口
１３  吐出室
１５  吸入室
２７  旋回スクロールラップ外壁接点
２８  旋回スクロールラップ内壁接点
２９  旋回スクロールラップ外周巻終り部第０接点
３１  逃がし
【図１】
0005034975.tif 000002
【図２】
0005034975.tif 000003
【図３】
0005034975.tif 000004
【図４】
0005034975.tif 000005
【図５】
0005034975.tif 000006
【図６】
0005034975.tif 000007
【図７】
0005034975.tif 000008